(57)【要約】【課題】皮膚のたるみを効果的に除去することができる新規な皮膚の引伸し用糸部材を提供する。また、極めて簡単な構造で、人体への適用も安全であり、皮膚のたるみを除去することによって、しわをなくし、張りのある皮膚を作ることができる皮膚の引伸し用糸部材を提供する。【解決手段】皮膚内層に埋設される糸状物であって、皮膚内層で伸張した後に収縮するコイル部が形成されてなることを特徴とする皮膚の引伸し用糸部材であって、前記糸状物が金を含有したり、前記糸状物が針に巻装されてなる場合がある。前記糸状物のコイル部の直径は概ね１ｍｍで、コイル部の収縮状態の長さ３０ｍｍ以上の場合もある。【選択図】図４
2006320618.tif 000002
【特許請求の範囲】
【請求項１】
皮膚内層に埋設される糸状物であって、皮膚内層で伸張した後に収縮するコイル部が形成されてなることを特徴とする皮膚の引伸し用糸部材。
【請求項２】
前記糸状物が金を含有するものである請求項１に記載の皮膚の引伸し用糸部材。
【請求項３】
前記糸状物が針に巻装されてなる請求項１又は２に記載の皮膚の引伸し用糸部材。
【請求項４】
前記糸状物のコイル部の直径が概ね１ｍｍで、コイル部の収縮状態の長さ３０ｍｍ以上である請求項１ないし３のいずれか１項に記載の皮膚の引伸し用糸部材。
【発明の詳細な説明】
【技術分野】
【０００１】
この発明は、顔面の矯正等に用いられる皮膚の引伸し用糸部材に関する。
【背景技術】
【０００２】
従来、例えば顔面のしわをなくす目的で、しわの溝部分にコラーゲンなどを注入することが行われている。本発明者は、先に、人体腹部などの脂肪から本人が使用するためにコラーゲンを取り出しこれを皮膚内に注入することを提案し、人体からの脂肪抽出を効果的に行うとともに、この抽出された脂肪分からコラーゲンを簡単かつ効率よく分離する新規なコラーゲン採取装置などを提供してきた（特許文献１を参照）。
【０００３】
しかしながら、コラーゲンの注入は皮膚に弾力性を持たせることに対しては有効であるが、皮膚のたるみを除去することについては今一つ満足できないものがあった。
【特許文献１】特公平６−１１３０９号公報
【発明の開示】
【発明が解決しようとする課題】
【０００４】
この発明は、皮膚のたるみを効果的に除去することができる新規な皮膚の引伸し用糸部材を提供するものである。また、この発明は、極めて簡単な構造で、人体への適用も安全であり、皮膚のたるみを除去することによって、しわをなくし、張りのある皮膚を作ることができる皮膚の引伸し用糸部材を提供するものである。
【０００５】
さらに、また、この発明は、糸部材の材質として金を含有するものを選択することによって、皮膚内のコラーゲンの作出を増大させ、これによって張りのある皮膚を作り出すという相乗的効果を期することができる皮膚の引伸し用糸部材を提供するものである。
【課題を解決するための手段】
【０００６】
すなわち、請求項１の発明は、皮膚内層に埋設される糸状物であって、皮膚内層で伸張した後に収縮するコイル部が形成されてなることを特徴とする皮膚の引伸し用糸部材に係る。
【０００７】
請求項２の発明は、前記糸状物が金を含有するものである請求項１に記載の皮膚の引伸し用糸部材に係る。
【０００８】
請求項３の発明は、前記糸状物が針に巻装されてなる請求項１又は２に記載の皮膚の引伸し用糸部材に係る。
【０００９】
請求項４の発明は、前記糸状物のコイル部の直径が概ね１ｍｍで、コイル部の収縮状態の長さ３０ｍｍ以上である請求項１ないし３のいずれか１項に記載の皮膚の引伸し用糸部材に係る。
【発明の効果】
【００１０】
請求項１の発明による皮膚の引伸し用糸部材によると、皮膚内層に埋設される糸状物であって、皮膚内層で伸張した後に収縮するコイル部が形成されているので、コイル部を皮膚内層で伸張させ次いで収縮させることによって皮膚表面を引伸して、皮膚のたるみやしわをなくして、張りのある皮膚を作ることができる。
【００１１】
請求項２の発明によると、前記糸状物が金を含有するものであることより、金による人体内でのコラーゲンの作出を増大させ、これによって皮膚に弾力性を増加させることができる。なお、金は人体内のアレルギー反応を極力抑えることができる作用を有することはいうまでもない。
【００１２】
請求項３の発明によると、前記糸状物が針に巻装されてなるものであるから、皮膚内層に引伸し用糸部材を容易にかつ確実に挿入し、所定位置に効果的に効率よく埋設することができる。
【００１３】
請求項４の発明によると、前記糸状物のコイル部の直径が概ね１ｍｍで、コイル部の収縮状態の長さ３０ｍｍ以上とすることにより、一般的な顔面の皮膚のたるみを解消するに最適でかつ最良な部材とすることができる。
【発明を実施するための最良の形態】
【００１４】
以下添付の図面に従ってこの発明の具体例を説明する。
図１はこの発明の皮膚の引き伸し用糸部材を顔面の皮膚のたるみを除去するために使用する例を表した概略正面図、図２はこの発明の引伸し用糸部材を皮膚内層に挿入する状態を表した断面図、図３は前記引伸し用糸部材を皮膚内層で伸張させた状態を示す断面図、図４は前記引伸し用糸部材を皮膚内層で収縮させた状態を示す断面図である。
【００１５】
図示したように、この発明の皮膚の引伸し用糸部材１０は、皮膚３０の内層３１に埋設される糸状物１１であって、皮膚内層３１で伸張１５Ａした後に収縮１５Ｂするコイル部１５が形成されてなることを特徴とする。糸状物１１は、コイル部１５を形成することができ、かつ該コイル部１５が皮膚内層３１で伸張１５Ａ（図３参照）した後に収縮１５Ｂ（図４参照）することができできれば、その材質は特に限定されない。ポリプロピレンなどの樹脂やステンレスなどの金属や合金が有利に用いられる。コイル部１５を皮膚内層で確実に伸張及び収縮させるために、形状記憶合金を用いてもよい。
【００１６】
この発明の皮膚の引伸し用糸部材１０のコイル部１５の皮膚内層３１での伸張及び収縮について図とともに説明する。図は皮膚の引き伸し用糸部材１０を顔面Ｆの皮膚３０のたるみを除去するために使用する例を表したもので、図１及び図２に示すように、引伸し用糸部材１０は針２０に巻装されて、顔面の頬のたるみを効果的に解消できる位置の皮膚内層３１に埋設される。図１の符号３５は、皮膚のたるみによって形成されたしわである。
【００１７】
糸部材１０の皮膚内層３１への埋設に際しては、図１及び図２のように、針２０を皮膚３０の突入口Ｈから突出口Ｉに挿通して、コイル部１５を皮膚内層３１に配置した後、糸状物１１のコイル部１５の両端部１１Ａ，１１Ｂを該突入口Ｈ及び突出口Ｉから突出した状態で針２０を抜く。そして、図３のように、糸状物１１の両端部１１Ａ，１１Ｂを矢印ａ、ｂ方向に引っ張り、前記糸状物１１に形成されたコイル部１５を伸張１５Ａさせた状態で、糸状物１１のコイル部１５の両端近傍を切断ｃする。
【００１８】
コイル部１５を伸張１５Ａさせた状態で糸状物１１を切断ｃすると、伸張状態のコイル部１５Ａにかかっていた張力が開放され、糸状物の切断端部１１Ｃ、１１Ｃが皮膚内層３１に埋入されるとともに、図４に示すように、コイル部１５の弾性力により、コイル部１５は矢印ｄ、ｅの方向に収縮１５Ｂする。このコイル部１５の収縮によって、表面側の皮膚３０は矢印ｆ、ｇ方向に引伸される。このようにして、皮膚のたるみは解消され、しわ３５が除去される。
【００１９】
この発明の皮膚の引伸し用糸部材１０は、請求項２の発明として規定したように、前記糸状物１１が金を含有するものであることが好ましい。金の含有率は、特に限られないが、含有率が高いと弾力性のあるコイル部１５の形成が困難となるので、金と他の金属との合金で前記糸状物を作成することが望ましい。
【００２０】
糸状物１１に金を含有するものを用いることで、人体内のアレルギー反応を極力抑えることができる作用を有するほかに、皮膚内でのコラーゲンの作出を増大させるとという相乗効果を期待することができる。すなわち、一般に、金が皮膚内層に埋設されることで、皮膚内でのコラーゲンの作出が促進されることが知られている。従って、金を含有した糸状物を用いれば、たるみが解消されるだけでなく、新たにコラーゲンが作出され、しわがなくなり、より張りがある皮膚を作り出すことができる。コラーゲンが作出される量は、金の表面積に比例すると考えられるところ、コイル部は表面積が大きくコラーゲンの量も増大するものと推定される。これによって、皮膚に弾力性を増加させることができる。
【００２１】
また、請求項３の発明として規定しかつ実施例で説明したように、前記糸状物１１が針に巻装されることによって、皮膚内層に引伸し用糸部材を容易にかつ確実に挿入し、所定位置に効果的に効率よく埋設することができる。皮膚へのダメージを軽減させることもできる。針の大きさは特に限定されないが、扱いやすいサイズとして、例えば、直径０．９ｍｍ、長さ９０ｍｍの針などが用いられる。
【００２２】
また、前記糸状物１１のコイル部の直径や収縮状態の大きさは特に限定はないが、請求項４の発明として規定したように、前記糸状物のコイル部の直径が概ね１ｍｍで、コイル部の収縮状態の長さ３０ｍｍ以上とすることにより、一般的な顔面の皮膚のたるみを解消するに最適でかつ最良な部材とすることができる。
【図面の簡単な説明】
【００２３】
【図１】この発明の皮膚の引き伸し用糸部材を顔面の皮膚のたるみを除去するために使用する例を表した概略正面図である。
【図２】この発明の引伸し用糸部材を皮膚内層に挿入する状態を表した断面図である。
【図３】前記引伸し用糸部材を皮膚内層で伸張させた状態を示す断面図である。
【図４】前記引伸し用糸部材を皮膚内層で収縮させた状態を示す断面図である。
【符号の説明】
【００２４】
１０  皮膚の引伸し用糸部材
１１  糸状物
１５、１５Ａ、１５Ｂ  コイル部
２０  針
３０  皮膚
３１  皮膚内層
３５  しわ
【図１】
2006320618.tif 000003
【図２】
2006320618.tif 000004
【図３】
2006320618.tif 000005
【図４】
2006320618.tif 000006